(57)【要約】【課題】光ディスクにデータをより円滑に記録することのできる光ディスク装置を提供する。【解決手段】データの記録に際し光ディスク１に照射されるレーザの反射光は、ピックアップ２内の４分割受光部によって受光された後、サーボアンプ１４０で増幅され、Ａ／Ｄ変換器１５０にて２値化されＳＵＭ信号となる。このＳＵＭ信号の強度が所定の値以下である光ディスク１の記録領域が誤り訂正符号によって訂正できないデータ量に対応する旨を検出すると、データの記録位置をスキップして記録中のブロックのはじめからデータを再度記録する【選択図】        図１
2005018921.tif 000002
【特許請求の範囲】
【請求項１】
データの記録に際し光ディスクに照射されるレーザの反射光の強度に基づいた信号を生成する信号生成手段と、
前記信号生成手段によって生成される信号に基づき前記反射光の強度が所定の値以下である旨検出するとき、データの記録位置をスキップさせるスキップ手段とを備える
ことを特徴とする光ディスク装置。
【請求項２】
請求項１記載の光ディスク装置において、
前記光ディスクは、所定のデータ量のデータによって構成されるブロック単位のデータ毎に所定の誤り訂正符号の付与されたデータを記録するものであって、
前記スキップ手段は、前記反射光の強度が所定の値以下である光ディスクの記録領域が前記誤り訂正符号によって訂正できないデータ量に対応する旨を検出すると、データの記録位置をスキップして前記記録中のブロックのはじめからデータを再度記録する
ことを特徴とする光ディスク装置。
【請求項３】
前記スキップ手段は、前記記録中のブロックのはじめからデータを再度記録する際、データの記録位置を次のブロックを記録する光ディスクの記録領域までスキップさせる
請求項２記載の光ディスク装置。
【請求項４】
前記スキップ手段は、前記反射光の強度が所定の値以下である光ディスクの記録領域が前記誤り訂正符号によって訂正できないデータ量に対応する旨をトラックの１周期毎に複数回連続して検出するとき、それ以降のデータの記録領域のうち対応する記録領域を複数のトラック周期に渡ってスキップさせる機能を有する
請求項２又は３記載の光ディスク装置。
【請求項５】
前記スキップ手段は、前記反射光の強度が所定の値以下である光ディスクの記録領域が前記誤り訂正符号によって訂正できないデータ量に対応する旨を前記スキップを繰り返す毎に連続して所定の複数回検出するとき、トラックの所定回の周期分だけデータの記録位置をスキップさせる機能を有する
請求項２〜４のいずれか１項に記載の光ディスク装置。
【請求項６】
前記スキップ手段は、前記反射光の強度が所定の値以下となる光ディスクの領域の発生状態に応じて、前記記録位置のスキップ態様を設定する設定手段を備える
請求項１記載の光ディスク装置。
【請求項７】
前記設定手段は、前記反射光の強度が所定の値以下である前記光ディスクの領域をトラックの１周期毎に所定の複数回繰り返し検出したとき、それ以降のデータの記録領域のうち対応する記録領域を所定のトラック周期に渡ってスキップさせる機能を有する
請求項６記載の光ディスク装置。
【請求項８】
前記設定手段は、前記反射光の強度が所定の値以下である前記光ディスクの連続した領域が、所定のデータ量に対応する記憶領域よりも大きくなるとき、トラックの複数回の周期分だけデータの記録位置をスキップさせる機能を有する
請求項６又は７記載の光ディスク装置。
【請求項９】
請求項１〜８のいずれか１項に記載の光ディスク装置において、
前記スキップ手段によってスキップされた前記光ディスクの領域についての情報を前記光ディスクに記録する記録手段を更に備える
ことを特徴とする光ディスク装置。
【請求項１０】
請求項９記載の光ディスク装置において、
前記記録手段により記録された情報に基づき、前記光ディスクに記録されたデータを再生する再生機能を更に備える
ことを特徴とする光ディスク装置。
【請求項１１】
請求項１〜１０のいずれか１項に記載の光ディスク装置において、
前記スキップ手段によってスキップされた前記光ディスクの領域についての情報を記憶保持するメモリを更に備える
ことを特徴とする光ディスク装置。
【請求項１２】
請求項１〜１１のいずれか１項に記載の光ディスク装置において、
前記光ディスクは、記録されたデータの消去が可能なディスク媒体であって、
前記レーザが前記光ディスクに記録されているデータを消去するレーザであるとき前記信号生成手段によって生成される信号をサンプリングするとともに、前記レーザがデータを記録するレーザであるとき前記データを消去するレーザについての前記信号生成手段によって生成された信号を保持するサンプルホールド回路を更に備えるとともに、前記スキップ手段は、前記サンプルホールド回路によってサンプリング又は保持される信号に基づいてデータの記録位置をスキップさせる
ことを特徴とする光ディスク装置。
【請求項１３】
データの記録に際し光ディスクに照射されるレーザの反射光の強度に基づいて光ディスクの異常の有無を検出する異常検出手段と、
前記異常検出手段によって前記光ディスクに異常が検出されたとき、データの記録位置をスキップさせるスキップ手段とを備える
ことを特徴とする光ディスク装置。
【発明の詳細な説明】
【０００１】
【発明の属する技術分野】
本発明は、光ディスクにデータを記録する光ディスク装置に関する。
【０００２】
【従来の技術】
パーソナルコンピュータの記録媒体や映像データの記録媒体として、ＤＶＤ−ＲＡＭ、ＤＶＤ−Ｒ／ＲＷ、ＤＶＤ＋Ｒ／ＲＷ等の規格に従った記録型のＤＶＤ（Ｄｉｇｉｔａｌ  Ｖｅｒｓａｔｉｌｅ  Ｄｉｓｃ）が普及しつつある。こうしたＤＶＤ等の光ディスクは、カートリッジ内に収納されているＤＶＤ−ＲＡＭといった例外はあるものの、その多くはディスクが剥き出しになっているいわゆるベアディスクである。
【０００３】
こうしたベアディスクは、その周方向や径方向の引っ掻き傷（スクラッチ）に代表される傷が生じたり、表面に指紋（フィンガープリント）やブラックドット等の汚れが付着したりしやすい。こうした傷や汚れ等、光ディスクに異常が生じると、光ディスクの規格に定められた光学的仕様を満たさなくなるため、これがトリガとなって、同光ディスクへのデータの記録時に、フォーカシングサーボやトラッキングサーボが乱れるおそれがある。
【０００４】
そこで従来は、例えば下記特許文献１に見られるように、光ディスクの内周のデータの未記録部分に照射されたレーザ光の反射光に基づいて、光ディスクの異常の有無を検出する光ディスク装置も提案されている。すなわち、光ピックアップ内の４分割光検知器における４つの受光部Ａ、Ｂ、Ｃ、Ｄのそれぞれで受光される上記反射光についての和信号のレベルが低下している場合には、光ディスクに異常等がある旨判定するようにしている。
【０００５】
【特許文献１】
特開平６−５２５４６号公報
【０００６】
【発明が解決しようとする課題】
ところで、上記光ディスク装置では、光ディスクにおけるデータの未記録領域におけるレーザの反射光を利用しているため、光ディスクのデータ記録領域に傷がある場合等ついてはこれを正しく検知することができない。したがって、この光ディスク装置では、光ディスクへのデータの記録中に、光ディスクの異常に起因してサーボが乱れた場合、乱れた位置からフォーカシングやトラッキング等の処理を繰り返すこととなる。
【０００７】
特に光ディスクへ記録するデータがＴＶ（ｔｅｌｅｖｉｓｉｏｎ）チューナ等を通じてリアルタイムで送られてくる場合には、上記処理が繰り返される間に、光ディスク装置内において記録データを一旦備蓄するバッファメモリの容量を超えてしまうおそれがある。そして、この場合、光ディスクにリアルタイムにデータを記録することができなくなる。
【０００８】
本発明はこうした実情に鑑みてなされたものであり、その目的は、光ディスクにデータをより円滑に記録することのできる光ディスク装置を提供することにある。
【０００９】
【課題を解決するための手段】
以下、上記目的を達成するための手段及びその作用効果について記載する。
請求項１記載の発明は、データの記録に際し光ディスクに照射されるレーザの反射光の強度に基づいた信号を生成する信号生成手段と、前記信号生成手段によって生成される信号に基づき前記反射光の強度が所定の値以下である旨検出するとき、データの記録位置をスキップさせるスキップ手段とを備えることをその要旨とする。
【００１０】
上記構成では、データの記録に際して光ディスクに照射されるレーザの反射光の強度が所定の値以下であることを持って、光ディスクの異常を検出することができる。そして、レーザの反射光の強度が所定の値以下であるときには、データの記録位置を、換言すれば、光ディスク上におけるレーザの照射位置をスキップさせることで、データの記録を円滑に行うことができるようになる。
【００１１】
請求項２記載の発明は、請求項１記載の発明において、前記光ディスクは、所定のデータ量のデータによって構成されるブロック単位のデータ毎に所定の誤り訂正符号の付与されたデータを記録するものであって、前記スキップ手段は、前記反射光の強度が所定の値以下である光ディスクの記録領域が前記誤り訂正符号によって訂正できないデータ量に対応する旨を検出すると、データの記録位置をスキップして前記記録中のブロックのはじめからデータを再度記録することをその要旨とする。
【００１２】
所定の誤り訂正符号が付与されているデータは、一定量の誤りを訂正する機能を有するものとなっている。しかし、こうした誤り訂正符号に基づくデータの訂正能力には限界がある。
【００１３】
この点、上記構成では、反射光の強度が所定の値以下である光ディスクの記録領域が前記誤り訂正符号によって訂正できないデータ量に対応する場合に、記録中のブロックのはじめからデータを再度記録することで、データを適切に再生可能なかたちで確実に記録することができるようになる。また、記録中のブロックのはじめからデータを再度記録することで、記録を所望するデータに対し所定の誤り訂正符号を付与するエンコード処理を適切に行うこともできる。これは、上記エンコード処理が、通常、ブロック単位のデータ毎に誤り訂正符号が算出され、同ブロック単位のデータ毎に算出された誤り訂正符号が付与される処理となっているためである。
【００１４】
請求項３記載の発明は、請求項２記載の発明において、前記スキップ手段は、前記記録中のブロックのはじめからデータを再度記録する際、データの記録位置を次のブロックを記録する光ディスクの記録領域までスキップさせることをその要旨とする。
【００１５】
上記構成では、データの記録位置を次のブロックを記録する光ディスクの記録領域までスキップさせることで、光ディスクにおける記録領域のうちの各ブロックに対応してデータを記録させることができるようになる。したがって、スキップ後のデータの記録位置の管理を簡易化することができるようになる。
【００１６】
請求項４記載の発明は、請求項２又は３記載の発明において、前記スキップ手段は、前記反射光の強度が所定の値以下である光ディスクの記録領域が前記誤り訂正符号によって訂正できないデータ量に対応する旨をトラックの１周期毎に複数回連続して検出するとき、それ以降のデータの記録領域のうち対応する記録領域を複数のトラック周期に渡ってスキップさせる機能を有することをその要旨とする。
【００１７】
反射光の強度が所定の値以下である光ディスクの記録領域が前記誤り訂正符号によって訂正できないデータ量に対応する旨が、トラックの１周期毎に複数回連続して検出される場合には、光ディスクの径方向に傷があるものと推定される。
【００１８】
この点、上記構成では、それ以降のデータの記録領域のうち対応する記録領域を複数のトラック周期に渡ってスキップさせることで、データを適切に記録できない光ディスク上の領域を予測して同領域へのデータの記録を回避することができる。
【００１９】
請求項５記載の発明は、請求項２〜４のいずれか１項に記載の発明において、前記スキップ手段は、前記反射光の強度が所定の値以下である光ディスクの記録領域が前記誤り訂正符号によって訂正できないデータ量に対応する旨を前記スキップを繰り返す毎に連続して所定の複数回検出するとき、トラックの所定回の周期分だけデータの記録位置をスキップさせる機能を有することをその要旨とする。
【００２０】
反射光の強度が所定の値以下である光ディスクの記録領域が誤り訂正符号によって訂正できないデータ量に対応する旨をスキップ動作を繰り返す毎に連続して所定の複数回検出する場合には、光ディスクの周方向に傷が生じているものと推定される。
【００２１】
この点、上記構成では、こうした場合に、トラックの所定回の周期分だけデータの記録位置をスキップさせることで、データを適切に記録できない光ディスク上の領域を予め簡易に予測して同領域へのデータの記録を回避することができるようになる。
【００２２】
請求項６記載の発明は、請求項１記載の発明において、前記スキップ手段は、前記反射光の強度が所定の値以下となる光ディスクの領域の発生状態に応じて、前記記録位置のスキップ態様を設定する設定手段を備えることをその要旨とする。
【００２３】
データの記録時において反射光の強度が所定の値以下となる光ディスクの領域を検出した場合、この領域の発生状態と、当該データの記録位置よりも先の記録領域における反射光の強度が所定の値以下となる光ディスクの領域の発生状態との間には通常相関がある。このため、検出される上記領域の発生状態に基づいて、当該データの記録位置よりも先の記録領域における反射光の強度が所定の値以下となる光ディスクの領域の発生状態を推測することができる場合がある。
【００２４】
この点、上記構成では、上記領域の発生状態に応じて、記録位置のスキップ態様を設定することで、光ディスク上の上記領域を予め予測して同領域へのデータの記録を回避することができるようになる。
【００２５】
請求項７記載の発明は、請求項６記載の発明において、前記設定手段は、前記反射光の強度が所定の値以下である前記光ディスクの領域をトラックの１周期毎に所定の複数回繰り返し検出したとき、それ以降のデータの記録領域のうち対応する記録領域を所定のトラック周期に渡ってスキップさせる機能を有することをその要旨とする。
【００２６】
反射光の強度が所定の値以下である光ディスクの記録領域がトラックの１周期毎に所定の複数回繰り返し検出される場合には、光ディスクの径方向に傷があるものと推定される。
【００２７】
この点、上記構成では、それ以降のデータの記録領域のうち対応する記録領域を所定のトラック周期に渡ってスキップさせることで、データを適切に記録できない光ディスク上の領域を予測して同領域へのデータの記録を回避することができる。
【００２８】
請求項８記載の発明は、請求項６又は７記載の発明において、前記設定手段は、前記反射光の強度が所定の値以下である前記光ディスクの連続した領域が、所定のデータ量に対応する記憶領域よりも大きくなるとき、トラックの複数回の周期分だけデータの記録位置をスキップさせる機能を有することをその要旨とする。
【００２９】
反射光の強度が所定の値以下である光ディスクの記録領域が所定のデータ量に対応する記憶領域よりも大きくなる場合には、光ディスクの周方向に傷が生じているものと推定される。
【００３０】
この点、上記構成では、こうした場合に、トラックの複数回の周期分だけデータの記録位置をスキップさせることで、データを適切に記録できない光ディスク上の領域を予め簡易に予測して同領域へのデータの記録を回避することができるようになる。
【００３１】
請求項９記載の発明は、請求項１〜８のいずれか１項に記載の発明において、前記スキップ手段によってスキップされた前記光ディスクの領域についての情報を前記光ディスクに記録する記録手段を更に備えることをその要旨とする。
【００３２】
上記構成によれば、スキップ手段によってスキップされた光ディスクの領域についての情報を同光ディスクに記録することで、スキップされた領域がある場合であれ、データの再生を好適に行うことができるようになる。
【００３３】
こうしたデータの再生に際しては、例えば請求項１０記載の発明によるように、前記記録手段により記録された情報に基づき、前記光ディスクに記録されたデータを再生する再生機能を更に備える光ディスク装置を用いればよい。
【００３４】
請求項１１記載の発明は、請求項１〜１０のいずれか１項に記載の発明において、前記スキップ手段によってスキップされた前記光ディスクの領域についての情報を記憶保持するメモリを更に備えることをその要旨とする。
【００３５】
上記構成によれば、スキップ手段によってスキップされた前記光ディスクの領域についての情報を記憶保持することで、スキップされた領域がある場合であれ、データの再生を好適に行うことができるようになる。
【００３６】
請求項１２記載の発明は、請求項１〜１１のいずれか１項に記載の発明において、前記光ディスクは、記録されたデータの消去が可能なディスク媒体であって、前記レーザが前記光ディスクに記録されているデータを消去するレーザであるとき前記信号生成手段によって生成される信号をサンプリングするとともに、前記レーザがデータを記録するレーザであるとき前記データを消去するレーザについての前記信号生成手段によって生成された信号を保持するサンプルホールド回路を更に備えるとともに、前記スキップ手段は、前記サンプルホールド回路によってサンプリング又は保持される信号に基づいてデータの記録位置をスキップさせることをその要旨とする。
【００３７】
光ディスクにデータを記録するために照射されるレーザは、記録を所望するデータの論理値が一定であるときにも、同光ディスクに照射されるレーザは複数のパルスからなるというように所定の加工がなされるため、その強度が変化することがある。こうした強度の変化は反射光の変化をもたらすことから、反射光に基づいた光ディスクの異常の有無の検出は、光ディスクに照射されるレーザの強度の変化の影響を受ける。
【００３８】
この点、上記構成では、レーザ強度が一定である消去用のレーザが光ディスクに照射されているときの信号生成手段の信号に基づいてスキップにかかる処理を行うことで、光ディスクの異常の有無の検出を簡易に行いつつ、同スキップにかかる処理を行うことができる。
【００３９】
請求項１３記載の発明は、データの記録に際し光ディスクに照射されるレーザの反射光の強度に基づいて光ディスクの異常の有無を検出する異常検出手段と、前記異常検出手段によって前記光ディスクに異常が検出されたとき、データの記録位置をスキップさせるスキップ手段とを備えることをその要旨とする。
【００４０】
上記構成では、異常検出手段により光ディスクに異常があることが検出されると、データの記録位置を、換言すれば、光ディスク上におけるレーザの照射位置をスキップさせることで、データの記録を円滑に行うことができるようになる。
【００４１】
【発明の実施の形態】
以下、本発明にかかる光ディスク装置をＤＶＤ−ＲＷのディスク装置に適用した一実施形態について、図面を参照しつつ説明する。
【００４２】
図１に、本実施形態にかかる光ディスク装置の構成を示す。この光ディスク装置は、ＴＶチューナからの映像データを圧縮してＤＶＤ−ＲＷとしての光ディスク１に記録する装置である。
【００４３】
詳しくは、この光ディスク装置は、ピックアップ２を介して光ディスク１にレーザ光を照射するとともに、その反射光に基づいてドライバ３を制御するドライブ装置１００と、同ドライブ装置１００とＴＶチューナとの間にあってデータの圧縮や伸張等を行うバックエンド２００とを備えている。
【００４４】
ここで、光ディスク装置のうち、データの記録に際して用いる機能について説明する。
バックエンド２００の備えるＭＰＥＧエンコーダ２１０は、ＴＶチューナから転送されるデータをＭＰＥＧ方式にて圧縮し、ドライブ装置１００に転送する。一方、ドライブ装置１００においては、ＭＰＥＧエンコーダ２１０にて圧縮されたデータを一旦メモリ１２０に備蓄するとともに、この備蓄されるデータをデータ変換部１１０において光ディスク１に記録する記録信号に順次変換する。
【００４５】
詳しくは、エラー訂正符号付加回路１１１では、ＭＰＥＧエンコーダ２１０にて圧縮されたデータに誤り訂正符号が付与される。すなわち、ＤＶＤのデータフォーマットに従い、誤り訂正符号を付与するデータ量単位であるブロック毎にＰＩ（ｉｎｎｅｒ  ｃｏｄｅ  ｐａｒｉｔｙ）、ＰＯ（ｏｕｔｅｒ  ｃｏｄｅ  ｐａｒｉｔｙ）の２系列の誤り訂正符号が付与される。また、８−１６変調回路１１２では、上記誤り訂正符号の付与されたデータに、ＤＶＤデータフォーマットに従った所定の変調処理が施される。更に、ストラテジ生成回路１１３では、８−１６変調回路１１２にて変調されたデータをレーザの照射態様を制御する記録信号に変換する。なお、この際、記録信号のパルス幅は、レジスタ１１４に記憶されるデータである記録信号のパルス幅を設定する情報を表記するデータに基づき微調整される。
【００４６】
一方、レーザ駆動部１３０では、上記ストラテジ生成回路１１３にて生成された記録信号が、光ディスク１に照射されるレーザである記録パルスに変換される。詳しくは、レーザ駆動部１３０は、記録信号に基づき光ディスク１に照射されるレーザの強度を制御する部分であり、ＬＰＣ（ｌａｓｅｒ  Ｐｏｗｅｒ  Ｃｏｎｔｒｏｌｌｅｒ）とＡＰＣ（Ａｕｔｏ  Ｐｏｗｅｒ  Ｃｏｎｔｒｏｌｌｅｒ）とを備えている。
【００４７】
こうしてレーザ駆動部１３０にて生成されるレーザは、ピックアップ２を介して光ディスク１に照射される。
また、こうしたデータの記録に際して、ドライブ装置１００では、光ディスク１に照射されたレーザの反射光に基づきドライバ３の制御を行う機能を有する。すなわち、ピックアップ２は、上記反射光を受光する４分割された受光部を備えている。そして、サーボアンプ１４０では、これら各受光部で受光される反射光Ａ、Ｂ、Ｃ、Ｄを増幅する。そして、Ａ／Ｄ変換器１５０では、サーボアンプ１４０にて増幅されたアナログ信号をディジタル信号に変換する。ちなみに、こうして変換されるディジタル信号には、フォーカスエラー信号やトラッキングエラー信号等がある。
【００４８】
一方、上記サーボアンプ１４０にて増幅された信号のうち、光ディスク１の位置情報に関する信号（ＬＰＰ信号）は、アドレスデコーダ１５２に供給される。このアドレスデコーダ１５２では、光ディスク１に設けられるＬＰＰに関する信号をデコードすることで、光ディスク１のディスク位置情報を取得する部分である。
【００４９】
そして、サーボ制御回路１５４では、Ａ／Ｄ変換器１５０から供給されるフォーカスエラー信号やトラッキング信号、更にアドレスデコーダ１５２から供給されるディスク位置情報に基づいてドライバ３を制御することで、トラッキング制御や、フォーカス制御等を行う。
【００５０】
なお、このサーボ制御回路１５４や、データ変換部１１０等、ドライブ装置１００内の各回路は、マイクロコンピュータ１６０によって統括的に制御される。例えば、マイクロコンピュータ１６０は、上記レジスタ１１４のデータを変更することで、上記ストラテジ生成回路１１３の生成する記録信号のパルス幅を微調整する。また、マイクロコンピュータ１６０では、各種制御にかかるデータをメモリ１６２に記憶する。
【００５１】
次に、光ディスク装置のうち、データの再生に際して用いる機能について説明する。
データの再生に際しては、光ディスク１からの再生用のレーザの反射光がサーボアンプ１４０にて増幅されてＲＦ信号が生成される。そして、このＲＦ信号が上記データ変換部１１０において、デコードされてバックエンド２００に転送される。一方、バックエンド２００内のＭＰＥＧデコーダ２２０では、ドライブ装置１００から転送されるデータを伸張処理する。こうして光ディスク１に記録されている画像データが再生される。
【００５２】
ここで、本実施形態にかかるデータの記録制御について説明する。
本実施形態では、データの記録中に光ディスク１に照射されるレーザの反射光の強度が所定の値以下であると判断されると、光ディスク１に異常がある旨判断し、データの記録位置を光ディスク１のトラックに沿ってスキップさせる処理を行う。詳しくは、本実施形態では、データの記録中に光ディスク１に照射されるレーザの反射光の強度を、ピックアップ２において受光される４分割された反射光Ａ〜Ｄの和信号であるＳＵＭ信号の強度として検出する。
【００５３】
上記ＳＵＭ信号を生成すべく、サーボアンプ１４０は、反射光Ａ〜Ｄの和信号を生成する加算器１４１と、同和信号をサンプリングするサンプルホールド回路１４２とを備えている。そして、このサンプルホールド回路１４２にてサンプリングされた信号が、Ａ／Ｄ変換器１５０を介してディジタル化されることで、ＳＵＭ信号が生成される。
【００５４】
また、本実施形態では、光ディスク１にデータを消去するレーザである消去用のレーザが照射されるときに、上記サンプルホールド回路１４２により、その反射光をサンプリングする。そして、光ディスク１にデータ（ピット）を記録するレーザが照射されているときには、上記サンプルホールド回路１４２により、上記消去用のレーザの反射光についてのサンプリング信号を保持する。
【００５５】
こうした処理を行うべく、データ変換部１１０では、８−１６変調回路１１２の変調処理に基づき、光ディスク１に消去用のレーザを照射するタイミングに同期したサンプルパルスを生成するサンプルパルス生成回路１１５を備えている。すなわち、消去用のレーザの照射タイミングは、８−１６変調回路１１２によって変調された「Ｌ」レベルのデータを光ディスク１に記録するタイミングであるため、８−１６変調回路１１２による変調処理に基づいて、消去用レーザの照射タイミングを取得する。
【００５６】
なお、このサンプルパルス生成回路１１５では、レジスタ１１６に保持されるサンプルパルスのパルス幅に関するデータに基づき、サンプルパルスのパルス幅を微調整する。そして、このレジスタ１１６に保持されるデータは、マイクロコンピュータ１６０によって書き換え可能となっている。
【００５７】
ここで、上記サンプルパルスの生成にかかる処理や、同サンプルパルスに基づく消去用のレーザの反射光のサンプリングにかかる処理について図２を参照しつつ更に説明する。
【００５８】
図２（ａ）は、上記光ディスク１の表面の状態を模式的に示すものである。ここでは、領域ｄにおいて光ディスク１に傷がある場合を示している。これに対し、図２（ｂ）は、上記８−１６変調回路１１２によって生成されるチャネルデータを、また図２（ｃ）は、上記サンプルパルス生成回路１１５によって生成されるサンプルパルスをそれぞれ示す。これら図２（ｂ）や図２（ｃ）に示されるように、チャネルデータが論理「Ｌ」レベルの時に同期して、サンプルパルスが論理「Ｈ」となる。
【００５９】
一方、図２（ｄ）は、上記ストラテジ生成回路１１３によって生成される記録信号を、図２（ｅ）は、上記レーザ駆動部１３０によって生成される記録パルスをそれぞれ示している。図２（ｅ）に示す記録パルスは、チャネルデータが論理「Ｌ」のとき、消去用のレーザの強度（消去パワー）となる。また、同記録パルスは、チャネルデータが論理「Ｈ」のときには、２値化されている記録信号が高レベルであるか低レベルであるかに応じて、それぞれレーザの強度が最大（ピークパワー）又は最小（ボトムパワー）となる。
【００６０】
ここで、データの記録位置（レーザの照射位置）がディスク表面に傷がある領域ｄとなったとしても、サンプルパルスが「Ｌ」レベルである間は、図２（ｆ）に示すＳＵＭ信号は、サンプルパルスが前回「Ｈ」レベルであったときの値を保持するものとなっている。そして、サンプルパルスが論理「Ｈ」レベルとなる時刻ｔ１に、ＳＵＭ信号は、光ディスク１の表面の状態を反映したものとなる。すなわち、図２に示す例では、領域ｄに傷があるために、ＳＵＭ信号もこの光ディスク１の傷を反映してその信号レベルが低下したものとなる。
【００６１】
また、データの記録位置（レーザの照射位置）がディスク表面に傷がある領域ｄから離れたとしても、サンプルパルスが「Ｌ」レベルである間は、ＳＵＭ信号は、サンプルパルスが前回「Ｈ」であった時刻ｔ２のときの値を保持するものとなる。そして、サンプルパルスが「Ｈ」レベルとなる時刻ｔ３においてＳＵＭ信号は、そのときの光ディスク１の表面の状態を反映したものとなる。
【００６２】
このように光ディスク１に消去用のレーザが照射される期間のＳＵＭ信号によって光ディスク１の異常の有無を検出することができる。そして、こうして光ディスク１に異常が検出されたときには、データの記録位置をスキップさせることでデータの記録を継続的に行うようにする。次に、こうした本実施形態にかかる光ディスク１の異常の有無の検出にかかる処理及び、異常が検出されたときのデータの記録位置のスキップにかかる処理について図３及び図４を用いて説明する。これら図３及び図４に示す処理は、サーボ制御回路１５４及びマイクロコンピュータ１６０によって行われる処理である。
【００６３】
図３は、光ディスク１の異常の有無を検出する処理を示す。この処理は、所定周期で繰り返し実行される。
この一連の処理においては、まずステップＳ１０において、上記Ａ／Ｄ変換器１５０から出力されるＳＵＭ信号が上記サーボ制御回路１５４に取り込まれる。続くステップＳ２０においては、ＳＵＭ信号のレベルが基準値以下であるか否かを判断する。この基準値は、光ディスク１にデータを記録することが困難となる異常がある場合のＳＵＭ信号の強度の最大値に設定されることが望ましい。なお、この際、この基準値には、上記最大値に対して所定のマージンを有するようにすることがいっそう望ましい。
【００６４】
そして、基準値よりも大きい場合には、ステップＳ３０に移行して光ディスクの異常を検出した期間をカウントするカウンタのカウント値ＤＣを「０」とし、この一連の処理を一旦終了する。
【００６５】
これに対し、ステップＳ２０において基準値以下であると判断されると、ステップＳ４０に移行する。このステップＳ４０においては、上記カウント値ＤＣが所定値αよりも大きいか否かを判断する。この所定値αは、ＤＶＤに記録されるデータに付与される上記誤り訂正符号によってはエラーを訂正することのできないデータ量の最小値に対応した期間に設定されることが望ましい。なお、この際、この所定値αには、上記最小値に対して所定のマージンを有するようにすることがいっそう望ましい。
【００６６】
そして、ステップＳ４０においてカウント値ＤＣが所定値α以下であると判断されると、ステップＳ５０において、カウント値ＤＣをインクリメントしこの一連の処理を一旦終了する。
【００６７】
一方、ステップＳ４０においてカウント値ＤＣが所定値αより大きいと判断されると、ステップＳ６０に移行し、先の図１に示したメモリ１６２に異常が検出されたディスクの位置情報を記憶する。ここでは、上記アドレスデコーダ１５２によってデコードされた光ディスク１のディスク位置情報を用いる。ステップＳ６０の処理が終了すると、この一連の処理を一旦終了する。
【００６８】
次に、この図３の処理に基づいてＳＵＭ信号の低下が所定期間（カウンタ値Ｃ＞所定値α）検出されたときに行われるデータの記録位置のスキップにかかる処理について図４に基づいて説明する。この処理も所定の周期で繰り返し実行される。
【００６９】
この一連の処理においては、まずステップＳ１１０において、先の図３に示した処理においてＳＵＭ信号のレベルの低下が所定期間（カウンタ値ＤＣ＞所定値α）検出されたか否かを判断する。そして、所定期間検出されていないと判断されたときには、ステップＳ１２０において、こうした所定期間のエラーが検出される期間をカウントするエラーカウンタのカウント値ＥＣを「０」とする。
【００７０】
一方、ステップＳ１２０において、所定期間検出されたと判断されるときには、ステップＳ１３０において上記エラーカウンタのカウント値ＥＣをインクリメントし、ステップＳ１４０に移行する。
【００７１】
ステップＳ１４０においては、エラーがトラックの周期毎に繰り返されているか否かを先の図３のステップＳ６０の処理により上記メモリ１６２に記憶されている異常検出位置についての情報に基づき判断する。そして、ステップＳ１４０において、エラーがトラックの周期毎に所定の複数回連続して検出されていると判断されると、ステップＳ１５０に移行する。このステップＳ１５０においては、図５に示すように、それ以降の光ディスク１におけるデータの記録領域のうち、エラーが検出された領域ｅａと対応する記録領域ｓａを複数のトラックｔｒ周期に渡ってスキップさせる処理を行う。
【００７２】
一方、ステップＳ１４０において、エラーがトラックの周期毎に複数回連続して検出されていないと判断されると、ステップＳ１６０に移行する。ステップＳ１６０においては、エラーカウンタのカウント値ＥＣが所定値βよりも大きいか否かを判断する。この所定値βは、光ディスク１に周方向の傷が存在するか否かを推定するためのものである。そしてステップＳ１６０においてエラーカウンタのカウント値ＥＣが所定値βよりも大きいと判断されると、ステップＳ１７０に移行する。このステップＳ１７０では、図６に示すように、エラーが検出された領域ｅａから数トラック（図においては、２トラックと例示）に渡って記録領域ｓａをスキップする。
【００７３】
そして、ステップＳ１６０においてエラーカウンタのカウント値ＥＣが所定値β以下であると判断されると、ステップＳ１８０に移行する。このステップＳ１８０においては、現在記録中のデータの属するＥＣＣブロックを光ディスク１の次のＥＣＣブロックを記録するために割り当てられた記録領域に再度記録する。
【００７４】
なお、ステップＳ１２０、Ｓ１５０、Ｓ１６０、Ｓ１８０の処理が終了すると、この一連の処理を一旦終了する。
このように本実施形態では、ＳＵＭ信号の強度の低下が検出される領域の発生状態に応じて、記録位置のスキップ態様を設定することで、光ディスク１上において次にＳＵＭ信号の強度が低下する領域を予め予測してこうした領域へのデータの記録を回避することができるようになる。
【００７５】
なお、上記スキップされた光ディスク１の記録領域についての情報は、上記メモリ１６２によって一旦記憶保持される。そして、この情報は、マイクロコンピュータ１６０により、データの記録終了後等に、例えば光ディスク１の内周側にあるリードイン領域等、光ディスク１のうちデータの記録領域として利用されない領域に記録される。そして、本実施形態にかかる光ディスク装置では、光ディスク１に記録された上記情報に基づきマイクロコンピュータ１６０により光ディスク１へのアクセスが制御されることで、データの再生が行われる。また、データの記録後、ディスク交換や光ディスク１の電源のオフがなされる前においては、メモリ１６２等に保持される上記情報に基づいて光ディスク１に記録されたデータを再生することも可能となっている。
【００７６】
以上説明した本実施形態によれば以下の効果が得られるようになる。
（１）データの記録に際してＳＵＭ信号のレベルが低下しているときに、光ディスク１上におけるレーザの照射位置をスキップさせることで、データの記録を円滑に行うことができるようになる。
【００７７】
（２）反射光の強度が所定の値以下である光ディスク１の記録領域が誤り訂正符号によって訂正できないデータ量に対応する場合に、記録中のブロックのはじめからデータを再度記録することで、データを適切に再生可能なかたちで確実に記録することができるようになる。
【００７８】
（３）記録中のブロックのはじめからデータを再度記録するに際し、データの記録位置を次のブロックを記録する光ディスク１の記録領域までスキップさせることで、光ディスク１における記録領域のうちの各ブロックに対応してデータを記録させることができるようになる。したがって、スキップ後のデータの記録位置の管理を簡易化することができるようになる。
【００７９】
（４）光ディスク１に径方向の傷があると推定されるときに、それ以降のデータの記録領域のうち対応する記録領域を複数のトラック周期に渡ってスキップさせることで、データを適切に記録できない光ディスク１上の領域を予測して同領域へのデータの記録を回避することができる。
【００８０】
（５）光ディスク１に周方向の傷があると推定されるときに、トラックの複数回の周期分だけデータの記録位置をスキップさせることで、データを適切に記録できない光ディスク１上の領域を予め簡易に予測して同領域へのデータの記録を回避することができるようになる。
【００８１】
（６）スキップされた光ディスク１の領域についての情報を同光ディスク１に記録することで、スキップされた領域がある場合であれ、データの再生を好適に行うことができるようになる。
【００８２】
（７）上記スキップされた領域についての情報に基づき、光ディスク１に記録されたデータを再生する再生機能を備えることで、記録領域がスキップされた場合であれ、光ディスク１に記録されたデータを好適に再生することができるようになる。
【００８３】
（８）スキップされた光ディスク１の領域についての情報を光ディスク装置内で記憶保持することで、スキップされた領域がある場合であれ、データの再生を好適に行うことができるようになる。
【００８４】
（９）レーザ強度が一定である消去用のレーザが光ディスクに照射されているときのレーザの反射光に基づいてスキップにかかる処理を行うことで、光ディスク１の異常の有無の検出を簡易に行いつつ、同スキップにかかる処理を行うことができる。
【００８５】
なお、上記実施形態は、以下のように変更して実施してもよい。
・データの記録に際し光ディスクに照射されるレーザの反射光の強度に基づいた信号を生成する信号生成手段としては、上記４分割受光部からの各反射光Ａ〜Ｄの和信号を生成するものに限らない。
【００８６】
・反射光の強度が所定の値以下となる光ディスクの領域の発生状態に応じて、記録位置のスキップ態様を設定する設定手段としては、先の図４に例示した処理を行うものに限らない。例えば先の図３に示した処理を行うことなく、ＳＵＭ信号の低下した期間が所定の期間に達するか、１周期毎に複数回ＳＵＭ信号の低下が検出されるかに応じてそれぞれスキップ態様を設定するようにしてもよい。ここでは、前者の場合には周方向の傷と推定し所定回のトラック周期だけスキップさせるようにし、また、後者の場合には径方向の傷と推定してそれ以降において対応する記録領域を複数のトラック周期の間スキップさせるようにする。
【００８７】
・信号生成手段によって生成される信号に基づき反射光の強度が所定の値以下である旨検出するとき、データの記録位置をスキップさせるスキップ手段としては、上記設定手段を備えるものに限らない。例えば所定のデータ量に対応した記憶領域に渡って反射光の強度が所定の値以下となる旨判断されるたびに、所定の記憶領域だけスキップするようにしてもよい。
【００８８】
・サンプルホールド回路を有しなくとも、例えば光ディスクに照射されるレーザの強度に応じてＳＵＭ信号のレベル低下についての判断基準を変更するなら、同反射光に基づいて光ディスクの異常を検出することができる。
【００８９】
・スキップ手段は、反射光の強度が所定の値以下であるときにスキップにかかる処理を行うものに限らない。例えば、データの記録に際し光ディスクに照射されるレーザの反射光の強度に基づいて光ディスクの異常の有無を検出する異常検出手段によって光ディスクに異常が検出されたとき、データの記録位置をスキップさせるものであってもよい。この場合であれ、スキップ手段が設定手段を備える構成や、異常検出手段が反射光をサンプリング又は保持するサンプルホールド回路を備える構成は有効である。
【００９０】
・スキップ手段によってスキップされた光ディスクの領域についての情報を同光ディスクに記録する記録手段としては、リードイン領域に情報を記録するものに限らない。
【００９１】
・記録されたデータの消去が可能なディスク媒体としては、ＤＶＤ−ＲＷディスクに限らず、例えばＤＶＤ＋ＲＷ、ＣＤ−ＲＷ等でもよい。
・光ディスクとしては、記録されたデータの消去が可能なディスク媒体に限らず、例えばＤＶＤ−Ｒ、ＤＶＤ＋Ｒ、ＣＤ−Ｒ等でもよい。なお、この際には、光ディスクにピットを記録しない場合に照射される低出力のレーザの照射時の反射光を利用して光ディスクの異常を検出することが望ましい。
【００９２】
・光ディスク装置としては、必ずしもＴＶチューナからの映像データをＭＰＥＧエンコーダにて圧縮した後、これを光ディスクに記録するものに限らない。また、光ディスク装置としては、記録専用のものであってもよい。
【００９３】
【発明の効果】
本発明によれば、光ディスクにデータをより円滑に記録することができるようになる。
【図面の簡単な説明】
【図１】本発明にかかる光ディスク装置の全体構成を示すブロック図。
【図２】ディスク表面の状態に応じたＳＵＭ信号の推移を示すタイムチャート。
【図３】同実施形態において、光ディスクの異常を検出する処理を示すフローチャート。
【図４】同実施形態において、データの記録位置のスキップにかかる処理を示すフローチャート。
【図５】データの記録位置のスキップにかかる処理を模式的に示す平面図。
【図６】データの記録位置のスキップにかかる処理を模式的に示す平面図。
【符号の説明】
１…光ディスク、２…ピックアップ、３…ドライバ、１００…ドライブ装置、１１０…データ変換部、１１１…エラー訂正符号付加回路、１１２…８−１６変調回路、１１３…ストラテジ生成回路、１１４…レジスタ、１１５…サンプルパルス生成回路、１１６…レジスタ、１２０…メモリ、１３０…レーザ駆動部、１４０…サーボアンプ、１４１…加算器、１４２…サンプルホールド回路、１５０…Ａ／Ｄ変換器、１５２…アドレスデコーダ、１５４…サーボ制御回路、１６０…マイクロコンピュータ、１６２…メモリ、２００…バックエンド、２１０…ＭＰＥＧエンコーダ、２２０…ＭＰＥＧデコーダ。
【図１】
2005018921.tif 000003
【図２】
2005018921.tif 000004
【図３】
2005018921.tif 000005
【図４】
2005018921.tif 000006
【図５】
2005018921.tif 000007
【図６】
2005018921.tif 000008